(57)【特許請求の範囲】
【請求項１】
文字盤の裏面側に指定時刻あるいはモニタ信号に基づく駆動信号を受けて駆動される装飾部を有するからくり時計であって、
上記文字盤は、
固定分割片と、可動分割片とに分割され、上記固定分割片と可動分割片とを分割した固定境界縁と可動境界縁は、上記可動分割片の可動境界縁が上記固定分割片の固定境界縁に沿って回転可能な弧状に形成されており、
上記装飾部は、
駆動信号を受けて所定速度で回転する駆動モータと、
上記駆動モータの回転軸の回転を伝達する少なくとも一つの伝達歯車と、
上記伝達歯車の回転が伝達される中心飾り用歯車と、
上記中心飾り用歯車の周囲に配置されて当該中心飾り用歯車の回転が伝達され、かつ回転軸の一端部が上記文字盤の可動分割片に固定され、上記中心飾り用歯車の回転に応じて上記可動分割片を文字盤の形状の画定領域内から画定領域外に至る領域の所定の領域に位置するように回転させる周囲用歯車と、
上記中心飾り用歯車の回転軸に取り付けられ、当該中心飾り用歯車の回転に応じて回転し、当該回転に伴い、少なくとも上記文字盤を画定する場合に位置する上記可動分割片の裏面側領域を装飾体が位置する中心飾りと、
を有する
からくり時計。
【請求項２】
上記可動分割片を回転させるための周囲用歯車と所定の係合関係をもって同軸状に配置された受け車と、
上記周囲用歯車および受け車を、上記中心飾り用歯車と周囲用歯車のバックラッシュ分のずれを戻す方向に付勢する補正手段と
を有する請求項１記載のからくり時計。
【請求項３】
上記可動分割片が所定の回転角度位置に達したことを検知する検知手段を有する
請求項１または２記載のからくり時計。
【請求項４】
上記検知手段は、所定支持軸回りに揺動自在に配置された揺動アームと、上記揺動アームの一端部を係止させるように上記中心飾り用歯車の外周縁部に形成された係止部と、上記揺動アームの一端部が上記係止部にて係止された状態で上記揺動アームの他端部により作動させられて所定位置を検出するスイッチとを有する
請求項３記載のからくり時計。
【請求項５】
文字盤の裏面側に指定時刻あるいはモニタ信号に基づく駆動信号を受けて駆動される装飾部を有するからくり時計であって、
上記文字盤は、
固定分割片と、それぞれ当該固定分割片の異なる部位に対して分割された可動分割片とを有し、上記固定分割片と各可動分割片とを分割した固定境界縁と可動境界縁は、それぞれ上記可動分割片の可動境界縁が上記固定分割片の固定境界縁に沿って回転可能な弧状に形成されており、
上記装飾部は、
駆動信号を受けて所定速度で回転する駆動モータと、
上記駆動モータの回転軸の回転を伝達する少なくとも一つの伝達歯車と、
上記伝達歯車の回転が伝達される中心飾り用歯車と、
上記中心飾り用歯車の周囲に配置されて当該中心飾り用歯車の回転が伝達され、かつ回転軸の一端部が上記文字盤の対応付けられた可動分割片に固定され、それぞれ上記中心飾り用歯車の回転に応じて上記可動分割片を文字盤の形状の画定領域内から画定領域外に至る領域の所定の領域に位置するように回転させる複数の周囲用歯車と、
上記中心飾り用歯車の回転軸に取り付けられ、当該中心飾り用歯車の回転に応じて回転し、当該回転に伴い、少なくとも上記文字盤を画定する場合に位置する上記可動分割片の裏面側領域を装飾体が位置する中心飾りと、
を有する
からくり時計。
【請求項６】
上記可動分割片を回転させるための周囲用歯車と所定の係合関係をもってそれぞれ同軸状に配置された受け車と、
上記周囲用歯車および受け車を、上記中心飾り用歯車と周囲用歯車のバックラッシュ分のずれを戻す方向に付勢する補正手段と
を有する請求項５記載のからくり時計。
【請求項７】
上記可動分割片が所定の回転角度位置に達したことを検知する検知手段を有する
請求項５または６記載のからくり時計。
【請求項８】
上記検知手段は、所定支持軸回りに揺動自在に配置された揺動アームと、上記揺動アームの一端部を係止させるように上記中心飾り用歯車の外周縁部に形成された係止部と、上記揺動アームの一端部が上記係止部にて係止された状態で上記揺動アームの他端部により作動させられて所定位置を検出するスイッチとを有する
請求項７記載のからくり時計。
【発明の詳細な説明】
【０００１】
【発明の属する技術分野】
本発明は、からくり時計に関し、特に、たとえば所定の時刻になると文字盤等を移動させて背後に収納された人形等の装飾体を出現させるからくり時計に関するものである。
【０００２】
【従来の技術】
時計の文字盤を複数の分割片により構成し、たとえば正時になると、この複数の分割片を分離するように移動させて、その背後に収容された人形などの装飾体を出現させ、音楽に合わせてこの装飾体を作動させるようなからくり時計が開発され製品化されている。
【０００３】
このようなからくり時計としては、たとえば特公平８−１０２５６号公報、特開平８−６８８７０号公報等に開示されたものが存在する。この特公平８−１０２５６号公報に開示のからくり時計は、文字盤を複数に分割された略扇状の素片により形成し、所定の時刻になると、これらの素片を回動させて花弁状に広がらせるようにし、この文字盤の背後に収納された人形等の装飾体を目視できるようにしたものである。上記分割された文字盤のそれぞれの素片を回動させる駆動機構としては、外周に歯が形成されたリング状のラック、このラックに噛み合うようにラックの径方向外側に配置された複数の歯車等を設け、この複数の歯車の回転軸にそれぞれの素片を固定して、ラックを駆動モータにより駆動することにより、素片を開閉自在に回動させるように構成している。
【０００４】
また、特開平８−６８８７０号公報に開示のからくり時計は、文字盤を上下に２分割できるように形成し、所定の時刻になると、この文字盤を上下にそれぞれ分離させて、その文字盤の背後に収容された人形等の装飾体を目視できるようにしたものである。
【０００５】
【発明が解決しようとする課題】
ところで、上記特公平８−１０２５６号公報に開示のからくり時計においては、分割された文字盤のそれぞれの素片を回動させる駆動機構として、外周に歯が形成されたリング状のラック、このラックに噛み合うようにラックの径方向外側に配置された複数の歯車等を採用していることから、径方向において時計全体が大型化し、部品の集約化が困難であるという問題があった。
【０００６】
また、回動させられて開いた状態にある文字盤のそれぞれの素片は、回転軸により支持されるのみであり、前後方向におけるガタツキすなわちあおり等を生じる場合があるという問題があった。
さらに、文字盤を形成するそれぞれの素片の移動範囲としては、固定された回転軸回りに回動する範囲であるため、それ程目立つものでもなく、動的変化の意外性という面では、若干迫力に欠けるという問題があった。
【０００７】
また、上記特開平８−６８８７０号公報に開示のからくり時計においても、上下に２分割された文字盤は、単に上下に分離移動するだけであるため、内部の装飾体を出現させることはできるものの、外観の変化として強い印象を及ぼすものではなく、同様に変化の意外性に乏しいという問題があった。
【０００８】
本発明は、かかる事情に鑑みてなされたものであり、その目的は、構造の簡略化、部品点数の削減等を図りつつ、装飾体の前方を開閉する文字盤等の動的変化の意外性に富んでより優れた鑑賞性を与えることができ、限られた空間内で装飾体の動きを最大限に大きくみせることができ、装飾効果を高めることができるからくり時計を提供することにある。
【０００９】
【課題を解決するための手段】
上記目的を達成するため、本発明は、文字盤の裏面側に指定時刻あるいはモニタ信号に基づく駆動信号を受けて駆動される装飾部を有するからくり時計であって、上記文字盤は、固定分割片と、可動分割片とに分割され、上記固定分割片と可動分割片とを分割した固定境界縁と可動境界縁は、上記可動分割片の可動境界縁が上記固定分割片の固定境界縁に沿って回転可能な弧状に形成されており、上記装飾部は、駆動信号を受けて所定速度で正逆方向に回転する駆動モータと、上記駆動モータの回転軸の回転を伝達する少なくとも一つの伝達歯車と、上記伝達歯車の回転が伝達される中心飾り用歯車と、上記中心飾り用歯車の周囲に配置されて当該中心飾り用歯車の回転が伝達され、かつ回転軸の一端部が上記文字盤の可動分割片に固定され、上記中心飾り用歯車の回転に応じて上記可動分割片を文字盤の形状の画定領域内から画定領域外に至る領域の所定の領域に位置するように回転させる周囲用歯車と、上記中心飾り用歯車の回転軸に取り付けられ、当該中心飾り用歯車の回転に応じて回転し、当該回転に伴い、少なくとも上記文字盤を画定する場合に位置する上記可動分割片の裏面側領域を装飾体が位置する中心飾りとを有する。
【００１０】
また、本発明は、文字盤の裏面側に指定時刻あるいはモニタ信号に基づく駆動信号を受けて駆動される装飾部を有するからくり時計であって、上記文字盤は、固定分割片と、それぞれ当該固定分割片の異なる部位に対して分割された可動分割片とを有し、上記固定分割片と各可動分割片とを分割した固定境界縁と可動境界縁は、それぞれ上記可動分割片の可動境界縁が上記固定分割片の固定境界縁に沿って回転可能な弧状に形成されており、上記装飾部は、駆動信号を受けて所定速度で正逆方向に回転する駆動モータと、上記駆動モータの回転軸の回転を伝達する少なくとも一つの伝達歯車と、上記伝達歯車の回転が伝達される中心飾り用歯車と、上記中心飾り用歯車の周囲に配置されて当該中心飾り用歯車の回転が伝達され、かつ回転軸の一端部が上記文字盤の対応付けられた可動分割片に固定され、それぞれ上記中心飾り用歯車の回転に応じて上記可動分割片を文字盤の形状の画定領域内から画定領域外に至る領域の所定の領域に位置するように回転させる複数の周囲用歯車と、上記中心飾り用歯車の回転軸に取り付けられ、当該中心飾り用歯車の回転に応じて回転し、当該回転に伴い、少なくとも上記文字盤を画定する場合に位置する上記可動分割片の裏面側領域を装飾体が位置する中心飾りとを有する。
【００１１】
また、本発明では、上記可動分割片を回転させるための周囲用歯車と所定の係合関係をもってそれぞれ同軸状に配置された受け車と、上記周囲用歯車および受け車を、上記中心飾り用歯車と周囲用歯車のバックラッシュ分のずれを戻す方向に付勢する補正手段とを有する。
【００１２】
また、本発明では、上記可動分割片が所定の回転角度位置に達したことを検知する検知手段を有する。
また、本発明では、上記検知手段は、所定支持軸回りに揺動自在に配置された揺動アームと、上記揺動アームの一端部を係止させるように上記中心飾り用歯車の外周縁部に形成された係止部と、上記揺動アームの一端部が上記係止部にて係止された状態で上記揺動アームの他端部により作動させられて所定位置を検出するスイッチとを有する。
【００１３】
本発明によれば、指定時刻あるいはモニタ信号に基づく駆動信号が駆動モータに供給されると、モータが回転して伝達歯車が回転し、モータの回転が中心飾り用歯車に伝達される。
これにより、中心飾りが所定方向に回転する。
中心飾り用歯車の回転に伴いその周囲に配置されている複数の周囲用歯車が中心飾りと逆方向あるいは同方向に回転し、これに伴い、文字盤の可動分割片も回転される。
そして、可動分割片が閉状態から開状態になるまでの間に、あるいは開状態から閉状態になるまでの間、文字盤の背後で回転している中心飾りの見える箇所が時々刻々と変化する。
したがって、限られた空間内で装飾体の動きを最大限に大きくみせることができ、また、装飾効果が高くなっている。
【００１４】
【発明の実施の形態】
以下、本発明のからくり時計に係る実施の形態について、添付図面に基づき説明する。なお、説明の便宜上、一部の図面においては、透視図法を用いて示した。
【００１５】
図１ないし図４は、本発明に係るからくり時計の一実施形態を示すものであり、図１はその正面図、図２は後述する装飾部により文字盤が分離されて可動分割片が９０°自転および公転した状態を示す正面図、図３は後述する装飾部により文字盤が分離されて可動分割片が１８０°自転および公転した状態を示す正面図、図４は図１中のＡ−Ａ部における縦断面図、図５は図１中のＢ−Ｂ部における縦断面図である。
【００１６】
本実施形態に係るからくり時計１０は、外側輪郭を画定する縦長で楕円形のケース体１１と、ケース体１１の前方を塞ぐガラス板１２と、ガラス板１２をケース体に対して固定するガラス押さえ１３ＵＲ，１３ＵＬ，１３ＤＲ，１３ＤＬ、前面ガラス板１２で保護されたケース体１１内の前面側中央より上側に配置され、固定分割片１４１と３つの可動分割片１４２，１４３，１４４に分割された文字盤１４と、文字盤１４の裏面側に配置され可動分割片１４２，１４３，１４４の開閉動作を行わせる第１装飾部１５と、文字盤１４の下側に設けられた第２装飾部１６と、文字盤１４の第１装飾部１５よりさらに裏面側（ケース体の裏面側）に配置されたムーブメント１７と、ムーブメント１７により駆動される時針１８および分針１９等を主構成要素として有している。
【００１７】
前面ガラス板１２は、その外周部の１時および１１時方向の２箇所（上２箇所）、並びに５時および７時方向の２箇所（下２箇所）で、ガラス押さえ１３ＵＲ，１３ＵＬ，１３ＤＲ，１３ＤＬにより、ケース体１１に対して固定されている。
そして、前面ガラス板１２は、裏面周縁部にたとえば黒色で枠部１２ａが印刷されている。
【００１８】
ガラス押さえ１３は、図５に示すように、前面ガラス板１２のケース体１１の支持部１１ａで支持された部位より外周側の周辺部の所定領域における前面側と裏面側を挟持する挟持部１３１と、挟持部１３１の裏面側に形成された雌ねじ部を有する取り付けボス１３２と、装着時にケース体１１の前面に当接して安定した装着状態を保持するための支持部１３３とを有している。
【００１９】
挟持部１３１は、支持部１３３と連続して直線的に形成された基台部１３１ａと、基台部１３１ａの端部に形成され、装着時に前面ガラス板１２の前面側に位置する前面片部１３１ｂと、前面片部１３１ｂに対して所定間隔をおいて平行に形成され、装着時に前面ガラス板１２の裏面側の側部からケース体１１の支持部１１ａまで略達するように形成された後面片部１３１ｃとを有している。
すなわち、挟持部１３１は、基台部１３１ａを底面として前面片部１３１ｂと後面片部１３１ｃで形成される溝部１３１ｄに前面ガラス板１２の側部を含む外周部を挿入するようにして装着される。
そして、後面片部１３１ｃの裏面の略中央部には、面に対して垂直な方向に取り付けボス１３２が形成されている。
この後面片部１３１ｃの厚さを取り付けボス１３２の高さ（長さ）は、ケース体１１の支持部１１ａと略同じ高さ（若干高く）に設定される。
【００２０】
また、ケース体１１には、前面ガラス板１２の裏面側と対向する面に、ガラス押さえ１３の取り付けボスの先端部が収容可能な位置決め部としての位置決め溝１１ｂが形成され、さらに、位置決め溝１１ｂの中央部には、貫通孔であるネジ孔１１ｃが形成されている。
【００２１】
このような構成を有するガラス押さえ１３を用いた前面ガラス板１２の装着は次のように行われる。
すなわち、ケース体１１の外周部に形成されて支持部１１ａで前面ガラス板１２の裏面側の周縁部を支持した状態で、時計の側方から、ガラス押さえ１３の挟持部１３１における基台部１３１ａを底面として前面片部１３１ｂと後面片部１３１ｃで形成される溝部１３１ｄに前面ガラス板１２の側部を含む外周部を挿入するようにして装着する。
そして、ガラス押さえ１３の取り付けボス１３１ｃを、ケース体１１に形成された位置決め溝１１ｂに収容させた状態で位置決めする。
この状態で、時計の裏面側からケース体１１を貫通させたネジ１１０を、ガラス押さえ１３の取り付けボス１３２に形成した雌ねじ部に螺着することにより、ガラス押さえ１３をケース体１１の外周部に固定させる。
これにより、前面ガラス板１２の周縁部が、ガラス押さえ１３の挟持部１３１で挟持された形で固定される。
また、この固定した状態では、ガラス押さえ１３の支持部１３３がケース体１１の外周部前面に当接した状態となることから、がたつきが防止される。
【００２２】
文字盤１４は、たとえば所定の径を有する第１円板１４ａ上に、第１円板より径の小さい第２円板１４ｂを中心軸を一致させて重ねて形成され、その中心軸部にムーブメント１７により回転駆動される指針軸２０が挿通されており、上述したように、指針軸２０の挿通部を含む固定分割片１４１と、３つの可動分割片１４２，１４３，１４４に分割されている。
また、文字盤１４には、後述する第１装飾部１５の中心飾りの装飾体（気球）の回転軌跡に対応する指針軸２０を中心とする所定同心領域に、装飾体を時計前面側から目視可能な、たとえば透明アクリル板からなる透明部１４ｃが形成されている。
【００２３】
文字盤１４のさらに具体的な構成を、図６および図７に関連付けて説明する。図６は、文字盤の部分および第１装飾部の一部のみを抽出した図であって、文字盤が閉状態にある場合を示す図、図７は、文字盤の部分および第１装飾部の一部のみを抽出した図であって、文字盤が開状態にある場合を示す図である。
【００２４】
固定分割片１４１は、指針軸２０の挿通部を中心として３方向、具体的には２時方向、６時方向、および１０時方向に延び、その中央部が細く、両端部側が徐々に太くなるように、両側縁（両側の境界縁）が弧状に形成された枝部１４１１，１４１２，１４１３を有する。
そして、枝部１４１１の一辺側と枝部１４１２の一辺側で形成される第１固定境界縁部１４１４、枝部１４１２の他辺側と枝部１４１３の一辺側で形成される第２固定境界縁部１４１５、枝部１４１３の他辺側と枝部１４１１の他辺側で形成される第３固定境界縁部１４１６は、それぞれ、連続する円弧状をなすように形成されている。
【００２５】
可動分割片１４２は、その可動境界縁部１４２１が固定分割片１４１の第１固定境界縁部１４１４に沿って回転可能な円弧状をなすように、固定分割片１４１に対して分割されている。
そして、可動分割１４２は、第１装飾部１５の後記する周囲用歯車の回転軸が裏面の所定位置、具体的には、第１円板１４ａまたは第２円板１４ｂの半径方向の外周側の所定位置に固定され、中心飾り用歯車の回転に応じて回転する周囲用歯車により文字盤の形状の画定領域内から画定領域外に至る領域の所定の領域に位置するように回転させられる。
また、図６および図７に示すように、可動分割片１４２の可動境界縁部１４２１の第１円板部１４ａ−１は、閉状態時に、固定分割片１４１の第１固定境界縁部１４１４の裏面側に位置するように形成（分割）されている。
【００２６】
可動分割片１４３は、その可動境界縁部１４３１が固定分割片１４１の第２固定境界縁部１４１５に沿って回転可能な円弧状をなすように、固定分割片１４１に対して分割されている。
そして、可動分割片１４３は、第１装飾部１５の後記する周囲用歯車の回転軸が裏面の所定位置、具体的には、第１円板１４ａまたは第２円板１４ｂの半径方向の外周側の所定位置に固定され、中心飾り用歯車の回転に応じて回転する周囲用歯車により文字盤の形状の画定領域内から画定領域外に至る領域の所定の領域に位置するように回転させられる。
また、図６および図７に示すように、可動分割片１４３の可動境界縁部１４３１の第１円板部１４ａ−２は、閉状態時に、固定分割片１４１の第２固定境界縁部１４１５の裏面側に位置するように形成（分割）されている。
【００２７】
可動分割片１４４は、その可動境界縁部１４４１が固定分割片１４１の第３固定境界縁部１４１６に沿って回転可能な円弧状をなすように、固定分割片１４１に対して分割されている。
そして、可動分割片１４４は、第１装飾部１５の後記する周囲用歯車の回転軸が裏面の所定位置、具体的には、第１円板１４ａまたは第２円板１４ｂの半径方向の外周側の所定位置に固定され、中心飾り用歯車の回転に応じて回転する周囲用歯車により文字盤の形状の画定領域内から画定領域外に至る領域の所定の領域に位置するように回転させられる。
また、図６および図７に示すように、可動分割片１４４の可動境界縁部１４４１の第１円板部１４ａ−３は、閉状態時に、固定分割片１４１の第３固定境界縁部１４１６の裏面側に位置するように形成（分割）されている。
【００２８】
さらに、図６および図７に示すように、固定分割片１４１の中央部、並びに各枝部１４１１，１４１２，１４１３の先端部の裏面側には、それぞれ、各可動分割片１４２，１４３，１４４の可動境界縁部１４２１，１４３１，１４４１の第１円板部１４ａ−１，１４ａ−２，１４ａ−３をスムースに案内し、位置決めするプーリ１４１７，１４１８，１４１９，１４２０が回転自在に配置されている。
【００２９】
第１装飾部１５は、文字盤１４の裏面側中央部に中心飾りとしての観覧車１５１が回転可能に設けられている。
この観覧車１５１の周囲に観覧車１５１の回転に応じて回転するように複数（本実施形態では５個）の装飾体として気球飾り１５２−１、１５２−２，１５２−３，１５２−４，１５２−５が設けられている。
また、第１装飾部１５は、指定時刻あるいはモニタ信号に基づく駆動信号を受けて観覧車１５１を回転させるとともに、図３に示すように、文字盤１４の３つの可動分割片１４２，１４３，１４４を１８０°回転させて開状態とした後、すなわち可動分割片を文字盤の形状の画定領域内から画定領域外に位置するように回転させた後、逆転させて、図１に示すように、可動分割片１４２，１４３，１４４を文字盤１４を画定する元の位置に戻す。
また、文字盤１４を閉状態から開状態に、また開状態から閉状態にする場合、図２および図３に示すように、観覧者１５１および回転装飾体としての気球飾り１５２−１、１５２−２，１５２−３，１５２−４，１５２−５の見え方が、可動分割片１４２，１４３，１４４の回転に応じて変化する。これにより、からくり時計としての変化の意外性が増し、優れた鑑賞性が得られるようになっている。
【００３０】
以下に、第１装飾部１５の具体的な構成にについて図面に関連付けて説明する。
【００３１】
図８は、観覧車１５１、および可動分割片１４２，１４３，１４４の回転機構を示す図で、図９は、その時計の裏面側から見た図、図１０は図４の第１装飾部１５および文字盤１４の部分を拡大した縦断面図である。
【００３２】
この回転機構２００は、駆動モータ２０１、駆動モータ２０１の回転軸に軸支された第１歯車２０２、第１歯車２０２と噛合する第２歯車２０３、第２歯車２０３と噛合する第３歯車２０４、第３歯車２０４と噛合する第４歯車２０５、第４歯車２０５の周囲にそれぞれ１２０度の角度をもって配置され、かつそれぞれが第４歯車２０５と噛合する第５歯車２０６、第６歯車２０７、および第７歯車２０８により構成されている。
そして、これらの駆動モータ２０１、第１歯車２０２、第２歯車２０３、第３歯車２０４、第４歯車２０５、第５歯車２０６、第６歯車２０７、および第７歯車２０８は、ケース体１１の裏面側に配置されたベース基板２０９に対して固定あるいは軸支されている。
【００３３】
中心飾り用歯車としての第４歯車２０５の回転軸２０５ａに観覧車１５１の回転軸が固定されている。
周囲用歯車としての第５歯車２０６の回転軸２０６ａが文字盤１４の可動分割片１４２の裏面側の所定位置に固定され、周囲用歯車としての第６歯車２０７の回転軸２０７ａが可動分割片１４３の裏面側の所定位置に固定され、周囲用歯車としての第７歯車２０８の回転軸２０８ａが可動分割片１４４の裏面側の所定位置に固定されている。
第５歯車２０６、第６歯車２０７、および第７歯車２０８の回転軸２０６ａ，２０７ａ，２０８ａの一端が固定される所定位置は、上述したように、第１円板１４ａまたは第２円板１４ｂの半径方向の外周側の所定位置であって、中心飾り用歯車である第４歯車２０５の回転に応じて回転する周囲用歯車である第５歯車２０６，第６歯車２０７、および第７歯車２０８により文字盤１４の形状の画定領域内から画定領域外に至る領域の所定の領域に位置するように回転可能な位置である。
【００３４】
また、周囲用歯車としての第５歯車２０６，第６歯車２０７、および第７歯車２０８の裏面側とベース基板２０９間には、図９および図１０に示すように、受け車２１０，２１１，２１２が同軸状に配置されている。
そして、各受け車２１０，２１１，２１２の上面と各第５歯車２０６，第６歯車２０７、および第７歯車２０８の裏面側との間には、図１１に示すように中央部が捲線として形成され、この捲線部２１３ａを回転軸が挿通し、両端部２１３ｂ，２１３ｃが第５歯車２０６，第６歯車２０７、および第７歯車２０８の裏面側に係止されている補正バネ２１３が配置されている。
また、各受け車２１０，２１１，２１２の上面にはボス２１０ａ，２１１ａ，２１２ａが形成され、各第５歯車２０６，第６歯車２０７、および第７歯車２０８の裏面側に形成された長孔２０６ｂ，２０７ｂ，２０８ｂに係合されている。さらに、受け車２１０，２１１，２１２には、それぞれ１８０°をもって対向した位置に溝２１０ｂ，２１１ｂ，２１２ｂが形成され、これら溝２１０ｂ，２１１ｂ，２１２ｂに、第５歯車２０６，第６歯車２０７、および第７歯車２０８の裏面側に形成されたボス２０６ｃ，２０７ｃ，２０８ｃがはめ込まれて、受け車２１０，２１１，２１２の回転方向が規制されている。補正バネ２１３の両端部２１３ｂ，２１３ｃは、各歯車のボス２０６ｃ，２０７ｃ，２０８ｃ及び各受け車２１０ａ，２１１ａ，２１２ａに係合しバネ力が付勢される。
【００３５】
この補正バネ２１３の作用について、図１２に関連付けてさらに説明する。なお、図１２は、第５歯車２０６の場合を例に示しているが、第６歯車２０７、第７歯車２０８の場合も同様である。第５，第６，第７歯車は各回転軸とは遊合状態、各回転軸と各受け車は固定、従って各歯車と受け車はバネ２１３を介して係合されている。
図１２に示すように、第５歯車２０６を基本として、可動分割片１４２は、図中矢印Ａで示す方向に補正バネ２１３は作用するように配置される。可動分割片１４２が動作を終了し文字板を画定する元の位置に戻り停止しても各歯車はバネ２１３を捲き上げながら停止するため、中心飾り用の第４歯車２０５および第５歯車２０６のバックラッシュ分のずれ（戻り）を補正される。
【００３６】
また、観覧車１５１の円環１５２には、所定間隔をおいて、具体的には７２°の間隔をおいて５つの気球飾り１５２−１、１５２−２，１５２−３，１５２−４，１５２−５が回転可能に取り付けられている。
各気球飾り１５２−１、１５２−２，１５２−３，１５２−４，１５２−５は、下部には所定の重さに設定された台座部（乗り込み部）Ｇが形成され、第５歯車２０６の回転に伴い観覧車１５１が回転しても、台座部Ｇの自重で、必ず図１〜図３に示すような正姿勢を保持するように構成されている。
【００３７】
また、本実施形態に係るからくり時計においては、可動分割片１４２、１４３、１４４が回転されて所定回転角度位置に達した（１８０°回転した、または９０°回転した）こと等を検知する図８に示すように第１検知部３００および第２検知部４００を設けている。
【００３８】
具体的には、第１検知部３００は、たとえば図１３に示すように、中心飾り用歯車としての第４歯車２０５の輪歯部を除く外周部の所定の位置に緩やかな傾斜をなす係止部としてのテーパ状凹部３０１が形成されており、ベース基板２０９には、ベース基板２０９に形成された支持軸３０２に対して揺動自在となるように第１揺動アーム３０３が配置されており、その一端部３０３ａには、ベース基板２０９に形成された開口部（不図示）を通り抜けて第４歯車２０５まで達する係合ピン３０４が設けられている。
また、その第１揺動アーム３０３の他端部３０３ｂは、ベース基板２０９に固定された第１スイッチ３０５のスイッチレバー３０５ａに係合し得るようになっている。
【００３９】
これら第１揺動アーム３０３、テーパ状凹部３０１、第１スイッチ３０５等を有する第１検知部３００は、正時モードにおいて、第４歯車２０５あるいは文字盤１４の可動分割片１４２，１４３，１４４が、所定回転角度位置に達したことを、あるいは、閉状態すなわち休止位置の直前位置に復帰したことを検知する。すなわち、第４歯車２０５が回転して、第１揺動アーム３０３の係合ピン３０４がテーパ状凹部３０１に入り込むと、第１揺動アーム３０３の他端部３０３ｂが第１スイッチ３０５のスイッチレバー３０５ａから離脱ないしは他端部３０４ｂによる押圧力が低下して第１スイッチ３０５がオフとされ、駆動モータ２０１の回転を停止させるようになっている。
なお、第１揺動アーム３０３が逆回りに揺動すると、再び他端部３０３ｂが第１スイッチ３０５のスイッチレバー３０５ａに係合ないしは押圧して、第１スイッチ３０５がオンとされる。
【００４０】
また、ベース基板２０９の背面外周領域でかつ前述の支持軸３０２に対して中心角で９０°離れた領域には、図１３のかっこ内に示すように、第２検知部４００が設けられている。
第２の検知部４００においては、ベース基板２０９に形成された支持軸４０１に対して揺動自在となるように第２揺動アーム４０２が配置されており、その一端部４０２ａには、ベース基板２０９に形成された開口部（不図示）を通り抜けて第４歯車２０５まで達する係合ピン４０３が設けられている。
また、第２揺動アーム４０２の他端部４０２ｂは、ベース基板２０９に固定された第２スイッチ４０４のスイッチレバー４０４ａに係合し得るようになっている。
【００４１】
これら第２揺動アーム４０２、第１検知部３００と共用するテーパ状凹部３０１、第２スイッチ４０３等を有する第２検知部４００は、消費者向けに展示するような場合の展示モードにおいて、第４歯車２０５あるいは文字盤１４の可動分割片１４２，１４３，１４４が、所定回転角度位置（図２に示す略９０°回転した位置）に達したことを検知する。
すなわち、第４歯車２０５が回転して、第２揺動アーム４０２の係合ピン４０３がテーパ状凹部３０１に入り込むと、第２揺動アーム４０２の他端部４０２ｂが第２スイッチ４０４のスイッチレバー４０４ａから離脱ないしは他端部４０２ｂによる押圧力が低下して第２スイッチ４０４がオフとされ、文字盤１４が閉じた状態から略９０°自転および公転して両側に開いた状態のところで、駆動モータ２０１の回転を停止させるようになっている。
【００４２】
また、第２装飾部１６は、文字盤１４の下部中央部にたとえば透明のアクリル板の表面と裏面にスタンプ等により背景用建物群１６１が形成されている。
【００４３】
次に、本実施形態に係るからくり時計の正時モードにおける動作について説明する。
図１に示すように、文字盤１４（１４１〜１４４）が閉状態すなわち休止位置にある状態で、所定の時刻たとえば正時になると、制御手段としての制御部（不図示）により駆動信号が発せられて、駆動モータ２０１が一方向に回転し、第１〜第３歯車２０２〜２０４を介して中心飾り用歯車である第４歯車２０５に伝達される。
これにより、第４歯車２０５が所定方向、たとえば反時計回り方向に回転しだし、観覧車１５１が反時計回り方向に回転を始める。
【００４４】
この第４歯車２０５の回転に伴い、第１検出部３００の第１揺動アーム３０３の係合ピン３０４がテーパ状凹部３０１から出て、第１揺動アーム３０３が揺動して、他端部３０３ｂが第１スイッチ３０５のスイッチレバー３０５ａに係合ないしは押圧して、第１スイッチ３０５がオンとされる。
【００４５】
また、第４歯車２０４の回転は第５歯車２０６、第６歯車２０７、および第７歯車２０８に伝達される。
これにより、第５歯車２０６、第６歯車２０７、および第７歯車２０８が時計回りに回転し、各可動分割片１４２，１４３，１４４も時計回りに回転を始める。
【００４６】
そして、各可動分割片１４２，１４３，１４４は、図２に示すように９０°公転し、さらに回転して、図３に示すように、天地が逆転したような１８０°回転した位置に達する。
この閉状態から開状態になるまでの間に、背後で回転している観覧車１５１の気球飾り１５２−１、１５２−２，１５２−３，１５２−４，１５２−５の見える箇所が時々刻々と変化する。
【００４７】
上述したように、可動分割片１４２，１４３，１４４が１８０°公転した位置に達すると、第１検知部３００の第１揺動アーム３０２の係合ピン３０４が、第５歯車２０５のテーパ状凹部３０１に入り込み、第１スイッチ３０５をオフにする。
その後、制御手段としての制御部により駆動信号の出力が停止されて駆動モータ２０１の作動が停止される。
そして、一端停止された駆動モータ２０１に対して逆転するように指示する駆動信号が駆動モータ２０１に出力される。
これにより、可動分割片１４２，１４３，４４が反時計回りに回転されて、図１に示すように、文字盤１４を画定する元の位置に戻される。
【００４８】
このとき、第１検出部３００においては、第４歯車２０５が回転して、第１揺動アーム３０３の係合ピン３０４がテーパ状凹部３０１に入り込むと、第１揺動アーム３０３の他端部３０３ｂが第１スイッチ３０５のスイッチレバー３０５ａから離脱ないしは他端部３０４ｂによる押圧力が低下して第１スイッチ３０５がオフとされる。これにより、図示しない制御部による駆動信号の出力が停止され、駆動モータ２０１の回転が停止される。
【００４９】
以上の動作で正時モードのからくり動作が終了し、からくり時計では、通常運針が行われる。
【００５０】
続いて、本実施形態に係るからくり時計の展示モードにおける動作について説明する。
この場合、文字盤１４（１４１〜１４４）が閉状態すなわち休止位置にある状態で、固定板の裏面に配置されたモード切り替えスイッチ（不図示）が正時モードから展示モードに切り換えられる。
これにより、制御部（不図示）により駆動信号が発せられて、駆動モータ２０１が一方向に回転し、第１〜第３歯車２０２〜２０４を介して中心飾り用歯車である第４歯車２０５に伝達される。
これにより、第４歯車２０５が所定方向、たとえば反時計回り方向に回転しだし、観覧車１５１が反時計回り方向に回転を始める。
【００５１】
この第４歯車２０５の回転に伴い、第１検出部３００の第１揺動アーム３０３の係合ピン３０４がテーパ状凹部３０１から出て、第１揺動アーム３０３が揺動して、他端部３０３ｂが第１スイッチ３０５のスイッチレバー３０５ａに係合ないしは押圧して、第１スイッチ３０５がオンとされる。
【００５２】
また、第４歯車２０５の回転は第５歯車２０６、第６歯車２０７、および第７歯車２０８に伝達される。
これにより、第５歯車２０６、第６歯車２０７、および第７歯車２０８が時計回りに回転し、各可動分割片１４２，１４３，１４４も時計回りに回転を始める。
【００５３】
そして、各可動分割片１４２，１４３，１４４は、回転して図３に示すように１８０°公転した位置に達する。
この閉状態から開状態になるまでの間に、背後で回転している観覧車１５１の気球飾り１５２−１、１５２−２，１５２−３，１５２−４，１５２−５の見える箇所が時々刻々と変化する。
【００５４】
上述したように、可動分割片１４２，１４３，１４４が１８０°公転した位置に達すると、第２検知部４００の第２揺動アーム４０１の係合ピン４０３が、第４歯車２０５のテーパ状凹部３０１に入り込み、第１スイッチ４０４をオフにする。
その後、制御手段としての制御部により駆動信号の出力が停止されて駆動モータ２０１の作動が停止される。
これにより、消費者等は、からくりの一態様を確実に確認することができることになる。
【００５５】
さらに、モード切り替えスイッチにより、上記展示モードから前述の正時モードに切り換えられると、前述の正時モードの場合と同様に、可動分割片１４２，１４３，１４４が１８０°公転した位置に達すると、第１検知部３００の第１揺動アーム３０２の係合ピン３０４が、第４歯車２０５のテーパ状凹部３０１に入り込み、第１スイッチ３０５をオフにする。
その後、制御手段としての制御部により駆動信号の出力が停止されて駆動モータ２０１の作動が停止される。
そして、一端停止された駆動モータ２０１に対して逆転するように指示する駆動信号が駆動モード２０１に出力される。
これにより、可動分割片１４２，１４３，４４が反時計回りに回転されて、図１に示すように、文字盤１４を画定する元の位置に戻される。
【００５６】
このとき、第１検出部３００においては、第４歯車２０５が回転して、第１揺動アーム３０３の係合ピン３０４がテーパ状凹部３０１に入り込むと、第１揺動アーム３０３の他端部３０３ｂが第１スイッチ３０５のスイッチレバー３０５ａから離脱ないしは他端部３０４ｂによる押圧力が低下して第１スイッチ３０５がオフとされる。これにより、図示しない制御部による駆動信号の出力が停止され、駆動モータ２０１の回転が停止される。
【００５７】
以上説明したように、本実施形態によれば、文字盤１４を、中心軸部にムーブメント１７により回転駆動される指針軸２０が挿通されており、指針軸２０の挿通部を含む固定分割片１４１と、３つの可動分割片１４２，１４３，１４４に分割し、かつ、指定時刻あるいはモニタ信号に基づく駆動信号を受けて文字盤１４の裏面側に配置した観覧車１５１を回転させるとともに、文字盤１４の３つの可動分割片１４２，１４３，１４４を１８０°回転させて開状態とした後、すなわち可動分割片を文字盤の形状の画定領域内から画定領域外に位置するように回転させた後、逆転させて、可動分割片１４２，１４３，１４４を文字盤１４を画定する元の位置に戻す第１装飾部１５を設けたので、変化の意外性に富み、優れた鑑賞性が得られるからくり時計を実現できる利点がある。
【００５８】
また、第１装飾部１５において、可動分割片１４２，１４３，１４４を回転させるための第５歯車２０６，第６歯車２０７、および第７歯車２０８の裏面側とベース基板２０９間に、所定の係合関係をもって受け車２１０，２１１，２１２を同軸状に配置し、捲線部２１３ａを回転軸が挿通し、両端部２１３ｂ，２１３ｃが第５歯車２０６，第６歯車２０７、および第７歯車２０８の裏面側に係止されている補正バネ２１３を配置したので中心飾り用の第４歯車２０５と、周囲用の第５歯車２０６，第６歯車２０７、および第７歯車２０８のバックラッシュ分のずれ（戻り）を補正することができる。
【００５９】
また、本実施形態では、前面ガラス板１２のケース体１１の支持部１１ａで支持された部位より外周側の周辺部の所定領域における前面側と裏面側を挟持する挟持部１３１と、挟持部１３１の裏面側に形成された雌ねじ部を有する取り付けボス１３２と、装着時にケース体１１の前面に当接して安定した装着状態を保持するための支持部１３３とを有するガラス押さえ１３を設け、ケース体１１には、前面ガラス板１２の裏面側と対向する面に、ガラス押さえ１３の取り付けボスの先端部が収容可能な位置決め部としての位置決め溝１１ｂを形成し、位置決め溝１１ｂの中央部には、貫通孔であるネジ孔１１ｃを形成し、ケース体１１の裏面側からネジ１１０をガラス押さえ１３の取り付けボス１３２の螺着部に螺着することにより、ガラス押さえ１３をケース体１１に対して固定するようにしたので、時計の側方からガラス押さえをセットすることができ、作業が容易となり、また時計外形を小さくできる。そして、また限られた空間内で装飾体の動きを最大限に大きくみせることができる。
【００６０】
【発明の効果】
以上述べたように、本発明のからくり時計によれば、変化の意外性に富み、優れた鑑賞性が得られる。
また、限られた空間内で装飾体の動きを最大限に大きくみせることができ、装飾効果を高めることができる利点がある。
【図面の簡単な説明】
【図１】本発明のからくり時計を示す正面外観図である。
【図２】文字盤が分離されて可動分割片が９０°自転および公転した状態を示す正面外観図である。
【図３】文字盤が分離されて可動分割片が１８０°自転および公転した状態を示す正面外観図である。
【図４】図１中のＡ−Ａ部における縦断面図である。
【図５】図１中のＢ−Ｂ部における縦断面図である。
【図６】本発明に係る文字盤の部分および第１装飾部の一部のみを抽出した図であって、文字盤が閉状態にある場合を示す図である。
【図７】本発明に係る文字盤の部分および第１装飾部の一部のみを抽出した図であって、文字盤が開状態にある場合を示す図である。
【図８】観覧車、および可動分割片の回転機構を示す図である。
【図９】観覧車、および可動分割片の回転機構を裏面側から見た図である。
【図１０】図４の第１装飾部および文字盤の部分を拡大した縦断面図である。
【図１１】本発明に係る補正バネの構造を示す図である。
【図１２】本発明に係る補正バネの機能を説明するための図である。
【図１３】本発明のからくり時計の一部をなす検知手段の構成を説明するための図である。
【符号の説明】
１０…からくり時計
１１…ケース体
１２…ガラス板
１３ＵＲ，１３ＵＬ，１３ＤＲ，１３ＤＬ…ガラス押さえ
１４…文字盤
１４１…固定分割片
１４２〜１４４…可動分割片
１５…第１装飾部
１６…第２装飾部
１７…ムーブメント
１８…時針
１９…分針
２００…回転機構
２０１…駆動モータ
２０５…第４歯車（中心飾り用歯車）
２０６…第５歯車（周囲用歯車）
２０７…第６歯車（周囲用歯車）
２０８…第７歯車（周囲用歯車）
３００…第１検出部
４００…第２検出部
【図１】
0003561669.tif 000002
【図２】
0003561669.tif 000003
【図３】
0003561669.tif 000004
【図４】
0003561669.tif 000005
【図５】
0003561669.tif 000006
【図６】
0003561669.tif 000007
【図７】
0003561669.tif 000008
【図８】
0003561669.tif 000009
【図９】
0003561669.tif 000010
【図１０】
0003561669.tif 000011
【図１１】
0003561669.tif 000012
【図１２】
0003561669.tif 000013
【図１３】
0003561669.tif 000014